【手続補正書】
【提出日】平成22年4月12日(2010.4.12)
【手続補正１】
【補正対象書類名】特許請求の範囲
【補正対象項目名】全文
【補正方法】変更
【補正の内容】
【特許請求の範囲】
【請求項１】
ユーザの携帯端末にチャージされた電子マネーを用いて、遊技場に設置された遊技機での遊技を可能にするための電子マネー遊技使用サービスを提供する電子マネーシステムであって、
電子マネーに関するサービスを提供するサービス提供用サーバに設けられ、前記サービス提供用サーバに対し、ユーザが自己の前記携帯端末を使用して前記電子マネー遊技使用サービスを享受できるようにするための登録を要求する前記携帯端末からの登録要求情報に応じて、前記電子マネー遊技使用サービスを実行するための前記携帯端末側の処理手順を示す特定プログラムを前記携帯端末に送信するために出力する特定プログラム出力手段と、
前記サービス提供用サーバに設けられ、前記携帯端末が電子マネー情報のチャージを要求する情報であって、前記特定プログラムが実行されることによって前記携帯端末から送信されてきたチャージ要求情報を受信したことを条件として、金融機関側サーバに対して行なわれた前記電子マネー情報のチャージに関する対価の決済の要求に基づく該決済の終了に応じて、前記電子マネー情報を前記携帯端末に送信するために出力する電子マネー出力手段と、
前記サービス提供用サーバに設けられ、前記電子マネー出力手段によって出力された電子マネー情報の額を特定可能な送信額特定情報と、該電子マネーが送信された携帯端末を識別するための携帯端末識別情報とを対応付けて記憶する送信電子マネー記憶手段と、
前記遊技場に設置され、前記携帯端末と通信し、該携帯端末に格納されている電子マネー情報を用いて遊技を可能にするための電子マネー遊技使用装置に設けられ、遊技を可能にするために使用する電子マネー情報の引落しを要求する引落要求情報を前記携帯端末に送信するために出力する引落要求情報出力手段と、
前記電子マネー遊技使用装置に設けられ、前記携帯端末に格納されている前記電子マネー情報から前記引落要求情報により要求された額が減算された旨を示す前記携帯端末から送信されてきた減算終了情報に応じて、前記減算された額の電子マネー情報を用いた遊技を可能にするための遊技可能化処理を行なう遊技可能化処理手段と、
前記遊技場において、前記遊技可能化処理手段によって遊技可能化処理に用いられた前記減算された電子マネー情報の額を特定可能な減算額特定情報と、前記減算終了情報を送信してきた携帯端末を識別するための携帯端末識別情報とを対応付けて記憶する減算電子マネー記憶手段と、
該減算電子マネー記憶手段に記憶された前記減算額特定情報と該減算額特定情報に対応する前記携帯端末識別情報とを含む取引情報を前記遊技場側から前記サービス提供用サーバに所定時間ごとに送信するために出力する減算電子マネー出力手段と、
前記サービス提供用サーバに設けられ、前記減算電子マネー出力手段から送信されてきた取引情報と、前記送信電子マネー記憶手段に記憶された情報とに基づいて携帯端末識別情報ごとに電子マネーの残額を管理し、残額を超えた不正取引があったか否かを判定する不正取引判定手段と、
前記サービス提供用サーバに設けられ、前記不正取引判定手段によって前記不正取引があると判定された場合、当該不正取引と判定された取引情報に対応する携帯端末識別情報を当該不正取引が発生した遊技場側に送信するために出力する不正取引識別情報出力手段と、
前記遊技場において、前記不正取引識別情報出力手段から送信されてきた携帯端末識別情報を記憶する不正取引識別情報記憶手段と、
前記引落要求情報出力手段から引落要求情報を送信した携帯端末が、前記不正取引識別情報記憶手段に記憶された携帯端末識別情報が示す不正携帯端末であるか否かを判定する不正携帯端末判定手段と、
前記不正携帯端末判定手段によって不正携帯端末であると判定された場合、該不正携帯端末に対して、前記遊技可能化処理手段による前記遊技可能化処理を停止する不正携帯端末使用停止手段とを備えていることを特徴とする、電子マネーシステム。
【請求項２】
前記不正取引識別情報出力手段は、前記不正取引と判定された取引情報に対応する携帯端末識別情報を、前記不正取引が発生した遊技場と異なる遊技場側にも送信するために出力することを特徴とする、請求項１に記載の電子マネーシステム。
【請求項３】
ユーザの携帯端末にチャージされた電子マネーを用いて、遊技場に設置された遊技機での遊技を可能にするための電子マネー遊技使用サービスを提供する電子マネーシステムであって、
電子マネーに関するサービスを提供するサービス提供用サーバに設けられ、前記サービス提供用サーバに対し、ユーザが自己の前記携帯端末を使用して前記電子マネー遊技使用サービスを享受できるようにするための登録を要求する前記携帯端末からの登録要求情報に応じて、前記電子マネー遊技使用サービスを実行するための前記携帯端末側の処理手順を示す特定プログラムを前記携帯端末に送信するために出力する特定プログラム出力手段と、
前記サービス提供用サーバに設けられ、前記携帯端末が電子マネー情報のチャージを要求する情報であって、前記特定プログラムが実行されることによって前記携帯端末から送信されてきたチャージ要求情報を受信したことを条件として、金融機関側サーバに対して行なわれた前記電子マネー情報のチャージに関する対価の決済の要求に基づく該決済の終了に応じて、前記電子マネー情報を前記携帯端末に送信するために出力する電子マネー出力手段と、
前記サービス提供用サーバに設けられ、前記電子マネー出力手段によって出力された電子マネー情報の額を特定可能な送信額特定情報と、該電子マネーが送信された携帯端末を識別するための携帯端末識別情報とを対応付けて記憶する送信電子マネー記憶手段と、
前記遊技場において、遊技を可能にするために使用する電子マネー情報の引落しを要求する引落要求情報を前記携帯端末に送信するために出力する引落要求情報出力手段と、
前記遊技場において、前記携帯端末に格納されている前記電子マネー情報から前記引落要求情報により要求された額が減算された旨を示す前記携帯端末から送信されてきた減算終了情報に応じて、前記減算された額の電子マネー情報に対応する額の遊技を可能とする遊技価値を特定可能な情報を記録した遊技用記録媒体を発行する記録媒体発行処理を行なう記録媒体発行処理手段と、
前記遊技場において、前記記録媒体発行処理手段によって記録媒体発行処理に用いられた前記減算された電子マネー情報の額を特定可能な減算額特定情報と、前記減算終了情報を送信してきた携帯端末を識別するための携帯端末識別情報と、前記記録媒体発行処理手段によって発行された遊技用記録媒体を識別するための記録媒体識別情報とを対応付けて記憶する減算電子マネー記憶手段と、
該減算電子マネー記憶手段に記憶された前記減算額特定情報と該減算額特定情報に対応する前記携帯端末識別情報とを含む取引情報を前記遊技場側から前記サービス提供用サーバに所定時間ごとに送信するために出力する減算電子マネー出力手段と、
前記遊技機に対応して設けられ、前記遊技用記録媒体に記録された遊技価値を読出し、該遊技価値を用いた遊技を可能にするための処理を行なう遊技価値使用処理手段と、
前記サービス提供用サーバに設けられ、前記減算電子マネー出力手段から送信されてきた取引情報と、前記送信電子マネー記憶手段に記憶された情報とに基づいて携帯端末識別情報ごとに電子マネーの残額を管理し、残額を超えた不正取引があったか否かを判定する不正取引判定手段と、
前記サービス提供用サーバに設けられ、前記不正取引判定手段によって前記不正取引があると判定された場合、当該不正取引と判定された取引情報に対応する携帯端末識別情報を当該不正取引が発生した遊技場側に送信するために出力する不正取引識別情報出力手段と、
前記遊技場において、前記不正取引識別情報出力手段から送信されてきた携帯端末識別情報を記憶する不正取引識別情報記憶手段と、
前記遊技場において、前記減算電子マネー記憶手段に記憶された記録媒体識別情報のうち、前記不正取引識別情報出力手段から送信されてきた携帯端末識別情報に対応する記録媒体識別情報と、前記遊技価値使用処理手段によって遊技価値が読出される遊技用記録媒体の記録媒体識別情報とが、一致するか否かを判定する記録媒体識別情報判定手段と、
前記記録媒体識別情報判定手段によって一致すると判定された場合、当該一致すると判定された記録媒体識別情報の遊技用記録媒体に対して、前記遊技価値使用処理手段による遊技を可能にするための処理を停止する不正記録媒体使用停止手段とを備えていることを特徴とする、電子マネーシステム。
【請求項４】
ユーザの携帯端末にチャージされた電子マネーを用いて、遊技場に設置された遊技機での遊技を可能にするための電子マネー遊技使用サービスを提供する電子マネーシステムであって、
電子マネーに関するサービスを提供するサービス提供用サーバに設けられ、前記サービス提供用サーバに対し、ユーザが自己の前記携帯端末を使用して前記電子マネー遊技使用サービスを享受できるようにするための登録を要求する前記携帯端末からの登録要求情報に応じて、前記電子マネー遊技使用サービスを実行するための前記携帯端末側の処理手順を示す特定プログラムを前記携帯端末に送信するために出力する特定プログラム出力手段と、
前記サービス提供用サーバに設けられ、前記携帯端末が電子マネー情報のチャージを要求する情報であって、前記特定プログラムが実行されることによって前記携帯端末から送信されてきたチャージ要求情報を受信したことを条件として、金融機関側サーバに対して行なわれた前記電子マネー情報のチャージに関する対価の決済の要求に基づく該決済の終了に応じて、前記電子マネー情報を前記携帯端末に送信するために出力する電子マネー出力手段と、
前記サービス提供用サーバに設けられ、前記電子マネー出力手段によって出力された電子マネー情報の額を特定可能な送信額特定情報と、該電子マネーが送信された携帯端末を識別するための携帯端末識別情報とを対応付けて記憶する送信電子マネー記憶手段と、
前記遊技場に設置され、前記携帯端末と通信し、該携帯端末に格納されている電子マネー情報を用いて遊技を可能にするための電子マネー遊技使用装置に設けられ、遊技を可能にするために使用する電子マネー情報の引落しを要求する引落要求情報を前記携帯端末に送信するために出力する引落要求情報出力手段と、
前記電子マネー遊技使用装置に設けられ、前記携帯端末に格納されている前記電子マネー情報から前記引落要求情報により要求された額が減算された旨を示す前記携帯端末から送信されてきた減算終了情報に応じて、前記減算された額の電子マネー情報を用いた遊技を可能にするための遊技可能化処理を行なう遊技可能化処理手段と、
前記遊技場において、前記遊技可能化処理手段によって遊技可能化処理に用いられた前記減算された電子マネー情報の額を特定可能な減算額特定情報と、前記減算終了情報を送信してきた携帯端末を識別するための携帯端末識別情報とを対応付けて記憶する減算電子マネー記憶手段と、
該減算電子マネー記憶手段に記憶された前記減算額特定情報と該減算額特定情報に対応する前記携帯端末識別情報とを含む取引情報を前記遊技場側から前記サービス提供用サーバに所定時間ごとに送信するために出力する減算電子マネー出力手段と、
前記サービス提供用サーバに設けられ、前記減算電子マネー出力手段から送信されてきた取引情報と、前記送信電子マネー記憶手段に記憶された情報とに基づいて携帯端末識別情報ごとに電子マネーの残額を管理し、残額を超えた不正取引があったか否かを判定する不正取引判定手段と、
前記サービス提供用サーバに設けられ、前記不正取引判定手段によって前記不正取引があると判定された場合、前記不正取引があった旨を示す不正取引発生情報を当該不正取引が発生した遊技場側に送信するために出力する不正取引発生情報出力手段と、
前記遊技場において、前記不正取引発生情報出力手段から前記不正取引発生情報が送信されてきた場合、該遊技場内のすべての前記遊技可能化処理手段による遊技可能化処理を停止する遊技可能化処理停止手段とを備えることを特徴とする、電子マネーシステム。
【請求項５】
ユーザの携帯端末にチャージされた電子マネーを用いて、遊技場に設置された遊技機での遊技を可能にするための電子マネー遊技使用サービスを提供する電子マネーシステムであって、
電子マネーに関するサービスを提供するサービス提供用サーバに設けられ、前記サービス提供用サーバに対し、ユーザが自己の前記携帯端末を使用して前記電子マネー遊技使用サービスを享受できるようにするための登録を要求する前記携帯端末からの登録要求情報に応じて、前記電子マネー遊技使用サービスを実行するための前記携帯端末側の処理手順を示す特定プログラムを前記携帯端末に送信するために出力する特定プログラム出力手段と、
前記サービス提供用サーバに設けられ、前記携帯端末が電子マネー情報のチャージを要求する情報であって、前記特定プログラムが実行されることによって前記携帯端末から送信されてきたチャージ要求情報を受信したことを条件として、金融機関側サーバに対して行なわれた前記電子マネー情報のチャージに関する対価の決済の要求に基づく該決済の終了に応じて、前記電子マネー情報を前記携帯端末に送信するために出力する電子マネー出力手段と、
前記サービス提供用サーバに設けられ、前記電子マネー出力手段によって出力された電子マネー情報の額を特定可能な送信額特定情報と、該電子マネーが送信された携帯端末を識別するための携帯端末識別情報とを対応付けて記憶する送信電子マネー記憶手段と、
前記遊技場において、遊技を可能にするために使用する電子マネー情報の引落しを要求する引落要求情報を前記携帯端末に送信するために出力する引落要求情報出力手段と、
前記遊技場において、前記携帯端末に格納されている前記電子マネー情報から前記引落要求情報により要求された額が減算された旨を示す前記携帯端末から送信されてきた減算終了情報に応じて、前記減算された額の電子マネー情報に対応する額の遊技を可能とする遊技価値を特定可能な情報を記録した遊技用記録媒体を発行する記録媒体発行処理を行なう記録媒体発行処理手段と、
前記遊技場において、前記記録媒体発行処理手段によって遊技用記録媒体発行処理に用いられた前記減算された電子マネー情報の額を特定可能な減算額特定情報と、前記減算終了情報を送信してきた携帯端末を識別するための携帯端末識別情報と、前記記録媒体発行処理手段によって発行された遊技用記録媒体を識別するための記録媒体識別情報とを対応付けて記憶する減算電子マネー記憶手段と、
該減算電子マネー記憶手段に記憶された前記減算額特定情報と該減算額特定情報に対応する前記携帯端末識別情報とを含む取引情報を前記遊技場側から前記サービス提供用サーバに所定時間ごとに送信するために出力する減算電子マネー出力手段と、
前記遊技場に対応して設けられ、前記遊技用記録媒体に記録された遊技価値を読出し、該遊技価値を用いた遊技を可能にするための処理を行なう遊技価値使用処理手段と、
前記サービス提供用サーバに設けられ、前記減算電子マネー出力手段から送信されてきた取引情報と、前記送信電子マネー記憶手段に記憶された情報とに基づいて携帯端末識別情報ごとに電子マネーの残額を管理し、残額を超えた不正取引があったか否かを判定する不正取引判定手段と、
前記サービス提供用サーバに設けられ、前記不正取引判定手段によって不正取引があると判定された頻度を測定する不正取引頻度測定手段と、
前記サービス提供用サーバに設けられ、前記不正取引頻度測定手段によって測定された頻度に応じて、当該不正取引と判定された取引情報に対応する携帯端末識別情報を当該不正取引が発生した遊技場側に送信するために出力する不正取引識別情報出力手段と、
前記サービス提供用サーバに設けられ、前記不正取引頻度測定手段によって測定された頻度に応じて、前記不正取引があった旨を示す不正取引発生情報を当該不正取引が発生した遊技場側に送信するために出力する不正取引発生情報出力手段と、
前記遊技場において、前記不正取引識別情報出力手段から送信されてきた携帯端末識別情報を記憶する不正取引識別情報記憶手段と、
前記遊技場において、前記減算電子マネー記憶手段に記憶された記録媒体識別情報のうち、前記不正取引識別情報出力手段から送信されてきた携帯端末識別情報に対応する記録媒体識別情報と、前記遊技価値使用処理手段によって遊技価値が読出される遊技用記録媒体の記録媒体識別情報とが、一致するか否かを判定する記録媒体識別情報判定手段と、
前記記録媒体識別情報判定手段によって一致すると判定された場合、当該一致すると判定された記録媒体識別情報の遊技用記録媒体に対して、前記遊技価値使用処理手段による遊技を可能にするための処理を停止する不正記録媒体使用停止手段と、
前記引落要求情報出力手段から引落要求情報を送信した携帯端末が、前記不正取引識別情報記憶手段に記憶された携帯端末識別情報が示す不正携帯端末であるか否かを判定する不正携帯端末判定手段と、
前記不正携帯端末判定手段によって不正携帯端末であると判定された場合、該不正携帯端末に対して、前記記録媒体発行処理手段による前記記録媒体発行処理を停止する不正携帯端末使用停止手段と、
前記遊技場において、前記不正取引発生情報出力手段から前記不正取引発生情報が送信されてきた場合、該遊技場内のすべての前記記録媒体発行処理手段による記録媒体発行処理を停止する記録媒体発行処理停止手段と、
前記不正取引頻度測定手段によって測定された頻度に応じて、前記不正記録媒体使用停止手段と前記不正携帯端末使用停止手段と前記記録媒体発行処理停止手段とのうちの少なくともいずれか１つを選択して、該選択された手段による停止処理を実行させる選択実行手段とを備えていることを特徴とする、電子マネーシステム。
【請求項６】
前記遊技可能化処理手段は、前記遊技可能化処理を実行する条件が成立したことにより、予め定められた一単位額相当の電子マネー情報を用いた遊技を可能とするための遊技可能化処理を行ない、
前記引落要求情報出力手段は、前記一単位額相当以上の所定額相当の電子マネー情報の引落しを要求する情報を含む前記引落要求情報を送信するために出力する所定額引落要求情報出力手段を含み、
前記電子マネー遊技使用装置に設けられ、前記遊技可能化処理手段によって前記減算された額の電子マネー情報のすべてが遊技に用いられたか否かを判定する遊技使用判定手段をさらに備え、
前記引落要求情報出力手段は、前記遊技使用判定手段によって未だすべてが遊技に用いられていないと判定された場合、前記引落要求情報を出力しないことを特徴とする、請求項１、または、請求項４に記載の電子マネーシステム。
【請求項７】
前記電子マネー遊技使用装置に設けられ、遊技を終了するための遊技終了操作の入力を受付ける遊技終了操作受付手段と、
前記電子マネー遊技使用装置に設けられ、前記遊技使用判定手段によって未だすべてが遊技に用いられていないと判定されたことを条件として、該遊技終了操作受付手段によって前記遊技終了操作の入力が受付けられたときに、遊技に用いられていない電子マネー情報を前記携帯端末に送信するために出力する未使用電子マネー出力手段とをさらに備えることを特徴とする、請求項６に記載の電子マネーシステム。
【請求項８】
前記電子マネー遊技使用装置に設けられ、前記電子マネー情報が減算された携帯端末を識別するための携帯端末識別情報を記憶する減算電子マネー記憶手段をさらに備え、
前記未使用電子マネー出力手段は、
携帯端末を識別するための携帯端末識別情報の送信を要求する携帯端末識別情報送信要求情報を該携帯端末に送信するために出力する携帯端末識別情報送信要求情報出力手段を含み、
前記携帯端末から送信されてきた携帯端末識別情報と、前記減算電子マネー記憶手段に記憶されている携帯端末識別情報とが一致する場合、前記携帯端末に、前記遊技に用いられていない電子マネー情報を送信するために出力することを特徴とする、請求項７に記載の電子マネーシステム。
【請求項９】
前記電子マネー遊技使用装置に設けられ、前記電子マネー情報が減算された携帯端末を識別するための携帯端末識別情報を記憶する減算電子マネー記憶手段をさらに備え、
前記未使用電子マネー出力手段は、
前記減算電子マネー記憶手段に記憶された携帯端末識別情報を含み携帯端末に携帯端末識別情報が一致するか否かの照合を要求するための照合要求情報を、携帯端末に送信するために出力する携帯端末識別情報出力手段を含み、
該携帯端末識別情報出力手段によって送信された携帯端末識別情報と、前記携帯端末を識別するための携帯端末識別情報とが一致する旨の携帯端末一致情報が、前記照合要求情報に応じて送信されてきた場合、前記携帯端末に、前記遊技に用いられていない電子マネー情報を送信するために出力することを特徴とする、請求項７に記載の電子マネーシステム。
【請求項１０】
前記未使用電子マネー出力手段は、
前記減算終了情報を送信した電子マネー遊技使用装置を識別するための装置識別情報の送信を要求する装置識別情報送信要求情報を、携帯端末に送信するために出力する装置識別情報送信要求情報出力手段を含み、
当該未使用電子マネー出力手段が設けられている電子マネー遊技使用装置を識別するための装置識別情報と、前記携帯端末から送信されてきた装置識別情報とが一致する場合、前記携帯端末に、前記遊技に用いられていない電子マネー情報を送信するために出力することを特徴とする、請求項７に記載の電子マネーシステム。
【請求項１１】
前記未使用電子マネー出力手段は、
当該未使用電子マネー出力手段が設けられている電子マネー遊技使用装置を識別するための装置識別情報を含み携帯端末に装置識別情報が一致するか否かの照合を要求するための照合要求情報を、携帯端末に送信するために出力する装置識別情報出力手段を含み、
該装置識別情報出力手段によって送信された装置識別情報と、前記携帯端末が前記減算終了情報を送信した電子マネー遊技使用装置を識別するための装置識別情報とが一致する旨の装置一致情報が、前記照合要求情報に応じて送信されてきた場合、前記携帯端末に、前記遊技に用いられていない電子マネー情報を送信するために出力することを特徴とする、請求項７に記載の電子マネーシステム。
【手続補正２】
【補正対象書類名】明細書
【補正対象項目名】０００９
【補正方法】変更
【補正の内容】
【０００９】
（１）  ユーザの携帯端末（たとえば、携帯電話１００）にチャージされた電子マネー（たとえば、バリュー）を用いて、遊技場（たとえば、遊技場３０）に設置された遊技機（たとえば、パチンコ遊技機７００）での遊技（たとえば、パチンコ遊技）を可能にするための電子マネー遊技使用サービスを提供する電子マネーシステム（たとえば、電子マネーシステム１０）であって、
電子マネーに関するサービスを提供するサービス提供用サーバ（たとえば、電子マネー管理サーバ２００、決済サーバ２８０、リモート発行サーバ４００）に設けられ、前記サービス提供用サーバに対し、ユーザが自己の前記携帯端末を使用して前記電子マネー遊技使用サービスを享受できるようにするための登録を要求する前記携帯端末からの登録要求情報（たとえば、空メール、携帯端末情報）に応じて、前記電子マネー遊技使用サービスを実行するための前記携帯端末側の処理手順を示す特定プログラム（たとえば、電子マネーアプリ１１１）を前記携帯端末に送信するために出力する特定プログラム出力手段（たとえば、利用者登録ＡＰ２１１、Ｓ２１１〜Ｓ２２８）と、
前記サービス提供用サーバに設けられ、前記携帯端末が電子マネー情報のチャージを要求する情報であって、前記特定プログラムが実行されることによって前記携帯端末から送信されてきたチャージ要求情報（たとえば、購入要求情報）を受信したことを条件として、金融機関側サーバ（たとえば、金融機関サーバ５００）に対して行なわれた前記電子マネー情報のチャージに関する対価の決済の要求に基づく該決済の終了に応じて、前記電子マネー情報を前記携帯端末に送信するために出力する電子マネー出力手段（たとえば、請求情報作成ＡＰ２１２、Ｓ２４０〜Ｓ２５０、決済サーバ２８０、ＩＣチップ書込ＡＰ２１３、Ｓ２５１〜Ｓ２５４，Ｓ２５１Ａ，Ｓ２５４Ａ、リモート発行サーバ４００）と、
前記サービス提供用サーバに設けられ、前記電子マネー出力手段によって出力された電子マネー情報の額を特定可能な送信額特定情報と、該電子マネーが送信された携帯端末を識別するための携帯端末識別情報（たとえば、携帯ＩＤ）とを対応付けて記憶する送信電子マネー記憶手段（たとえば、請求情報作成ＡＰ２１２、Ｓ２４９、発行情報ＤＢ２２２）と、
前記遊技場に設置され、前記携帯端末と通信し、該携帯端末に格納されている電子マネー情報を用いて遊技を可能にするための電子マネー遊技使用装置（たとえば、券売機３００、カードユニット６００）に設けられ、遊技を可能にするために使用する電子マネー情報の引落しを要求する引落要求情報（たとえば、引落要求信号）を前記携帯端末に送信するために出力する引落要求情報出力手段（たとえば、チップリーダライタ３９０、制御部３９１、非接触通信部３９３）と、
前記電子マネー遊技使用装置に設けられ、前記携帯端末に格納されている前記電子マネー情報から前記引落要求情報により要求された額が減算された旨を示す前記携帯端末から送信されてきた減算終了情報（たとえば、減算終了信号）に応じて、前記減算された額の電子マネー情報を用いた遊技を可能にするための遊技可能化処理を行なう遊技可能化処理手段（たとえば、券売機３００、Ｓ３５５，Ｓ３６２）と、
前記遊技場において、前記遊技可能化処理手段によって遊技可能化処理に用いられた前記減算された電子マネー情報の額を特定可能な減算額特定情報と、前記減算終了情報を送信してきた携帯端末を識別するための携帯端末識別情報とを対応付けて記憶する減算電子マネー記憶手段（たとえば、店舗サーバ８００、Ｓ８１１，Ｓ８１２）と、
該減算電子マネー記憶手段に記憶された前記減算額特定情報と該減算額特定情報に対応する前記携帯端末識別情報とを含む取引情報を前記遊技場側から前記サービス提供用サーバに所定時間（たとえば、３時間）ごとに送信するために出力する減算電子マネー出力手段（たとえば、店舗サーバ８００、Ｓ８１３，Ｓ８１４）と、
前記サービス提供用サーバに設けられ、前記減算電子マネー出力手段から送信されてきた取引情報と、前記送信電子マネー記憶手段に記憶された情報とに基づいて携帯端末識別情報ごとに電子マネーの残額を管理し、残額を超えた不正取引があったか否かを判定する不正取引判定手段（たとえば、残高管理ＡＰ２１４、Ｓ２６１〜Ｓ２６４，Ｓ２８１）と、
前記サービス提供用サーバに設けられ、前記不正取引判定手段によって前記不正取引があると判定された場合、当該不正取引と判定された取引情報に対応する携帯端末識別情報を当該不正取引が発生した遊技場側に送信するために出力する不正取引識別情報出力手段（たとえば、残高管理ＡＰ２１４、Ｓ２８５，Ｓ２８６）と、
前記遊技場において、前記不正取引識別情報出力手段から送信されてきた携帯端末識別情報を記憶する不正取引識別情報記憶手段（たとえば、店舗サーバ８００、Ｓ８２３，Ｓ８２４、発券機３００、Ｓ３１０，Ｓ３１３，Ｓ３１４）と、
前記引落要求情報出力手段から引落要求情報を送信した携帯端末が、前記不正取引識別情報記憶手段に記憶された携帯端末識別情報が示す不正携帯端末（たとえば、不正端末）であるか否かを判定する不正携帯端末判定手段（たとえば、発券機３００、Ｓ３２４）と、
前記不正携帯端末判定手段によって不正携帯端末であると判定された場合、該不正携帯端末に対して、前記遊技可能化処理手段による前記遊技可能化処理を停止する不正携帯端末使用停止手段（たとえば、発券機３００、Ｓ３２４の処理で不正端末であると判定された場合、Ｓ３２６で残高を投入額に加算しない）とを備えている。
【手続補正３】
【補正対象書類名】明細書
【補正対象項目名】００１０
【補正方法】変更
【補正の内容】
【００１０】
このような構成によれば、サービス提供用サーバによって、携帯端末からの登録要求情報に応じて、特定プログラムが携帯端末に送信され、特定プログラムが実行されることによって携帯端末から送信されてきたチャージ要求情報を受信したことを条件として、金融機関側サーバに対して行なわれた電子マネー情報のチャージに関する対価の決済の要求に基づく決済の終了に応じて、電子マネー情報が携帯端末に送信され、送信された電子マネー情報の額を特定可能な送信額特定情報と、電子マネーが送信された携帯端末を識別するための携帯端末識別情報とが対応付けられて記憶される。
【手続補正４】
【補正対象書類名】明細書
【補正対象項目名】００１９
【補正方法】変更
【補正の内容】
【００１９】
（３）  ユーザの携帯端末（たとえば、携帯電話１００）にチャージされた電子マネー（たとえば、バリュー）を用いて、遊技場（たとえば、遊技場３０）に設置された遊技機（たとえば、パチンコ遊技機７００）での遊技（たとえば、パチンコ遊技）を可能にするための電子マネー遊技使用サービスを提供する電子マネーシステム（たとえば、電子マネーシステム１０）であって、
電子マネーに関するサービスを提供するサービス提供用サーバ（たとえば、電子マネー管理サーバ２００、決済サーバ２８０、リモート発行サーバ４００）に設けられ、前記サービス提供用サーバに対し、ユーザが自己の前記携帯端末を使用して前記電子マネー遊技使用サービスを享受できるようにするための登録を要求する前記携帯端末からの登録要求情報（たとえば、空メール、携帯端末情報）に応じて、前記電子マネー遊技使用サービスを実行するための前記携帯端末側の処理手順を示す特定プログラム（たとえば、電子マネーアプリ１１１）を前記携帯端末に送信するために出力する特定プログラム出力手段（たとえば、利用者登録ＡＰ２１１、Ｓ２１１〜Ｓ２２８）と、
前記サービス提供用サーバに設けられ、前記携帯端末が電子マネー情報のチャージを要求する情報であって、前記特定プログラムが実行されることによって前記携帯端末から送信されてきたチャージ要求情報（たとえば、購入要求情報）を受信したことを条件として、金融機関側サーバ（たとえば、金融機関サーバ５００）に対して行なわれた前記電子マネー情報のチャージに関する対価の決済の要求に基づく該決済の終了に応じて、前記電子マネー情報を前記携帯端末に送信するために出力する電子マネー出力手段（たとえば、請求情報作成ＡＰ２１２、Ｓ２４０〜Ｓ２５０、決済サーバ２８０、ＩＣチップ書込ＡＰ２１３、Ｓ２５１〜Ｓ２５４，Ｓ２５１Ａ，Ｓ２５４Ａ、リモート発行サーバ４００）と、
前記サービス提供用サーバに設けられ、前記電子マネー出力手段によって出力された電子マネー情報の額を特定可能な送信額特定情報と、該電子マネーが送信された携帯端末を識別するための携帯端末識別情報（たとえば、携帯ＩＤ）とを対応付けて記憶する送信電子マネー記憶手段（たとえば、請求情報作成ＡＰ２１２、Ｓ２４９、発行情報ＤＢ２２２）と、
前記遊技場において、遊技を可能にするために使用する電子マネー情報の引落しを要求する引落要求情報（たとえば、引落要求信号）を前記携帯端末に送信するために出力する引落要求情報出力手段（たとえば、チップリーダライタ３９０、制御部３９１、非接触通信部３９３）と、
前記遊技場において、前記携帯端末に格納されている前記電子マネー情報から前記引落要求情報により要求された額が減算された旨を示す前記携帯端末から送信されてきた減算終了情報（たとえば、減算終了信号）に応じて、前記減算された額の電子マネー情報に対応する額の遊技を可能とする遊技価値を特定可能な情報を記録した遊技用記録媒体（たとえば、プリペイドカード３７１）を発行する記録媒体発行処理を行なう記録媒体発行処理手段（たとえば、券売機３００、Ｓ３５５，Ｓ３６２）と、
前記遊技場において、前記記録媒体発行処理手段によって記録媒体発行処理に用いられた前記減算された電子マネー情報の額を特定可能な減算額特定情報と、前記減算終了情報を送信してきた携帯端末を識別するための携帯端末識別情報と、前記記録媒体発行処理手段によって発行された遊技用記録媒体を識別するための記録媒体識別情報（たとえば、カードＩＤ）とを対応付けて記憶する減算電子マネー記憶手段（たとえば、店舗サーバ８００、Ｓ８１１，Ｓ８１２）と、
該減算電子マネー記憶手段に記憶された前記減算額特定情報と該減算額特定情報に対応する前記携帯端末識別情報とを含む取引情報を前記遊技場側から前記サービス提供用サーバに所定時間（たとえば、３時間）ごとに送信するために出力する減算電子マネー出力手段（たとえば、店舗サーバ８００、Ｓ８１３，Ｓ８１４）と、
前記遊技機に対応して設けられ、前記遊技用記録媒体に記録された遊技価値を読出し、該遊技価値を用いた遊技を可能にするための処理を行なう遊技価値使用処理手段（たとえば、カードユニット６００、Ｓ６１１〜Ｓ６１８）と、
前記サービス提供用サーバに設けられ、前記減算電子マネー出力手段から送信されてきた取引情報と、前記送信電子マネー記憶手段に記憶された情報とに基づいて携帯端末識別情報ごとに電子マネーの残額を管理し、残額を超えた不正取引があったか否かを判定する不正取引判定手段（たとえば、残高管理ＡＰ２１４、Ｓ２６１〜Ｓ２６４，Ｓ２８１）と、
前記サービス提供用サーバに設けられ、前記不正取引判定手段によって前記不正取引があると判定された場合、当該不正取引と判定された取引情報に対応する携帯端末識別情報を当該不正取引が発生した遊技場側に送信するために出力する不正取引識別情報出力手段（たとえば、残高管理ＡＰ２１４、Ｓ２８３，Ｓ２８４）と、
前記遊技場において、前記不正取引識別情報出力手段から送信されてきた携帯端末識別情報を記憶する不正取引識別情報記憶手段（たとえば、店舗サーバ８００、Ｓ８２５，Ｓ８２６、カードユニット６００、Ｓ６００，Ｓ６０１，Ｓ６０２）と、
前記遊技場において、前記減算電子マネー記憶手段に記憶された記録媒体識別情報のうち、前記不正取引識別情報出力手段から送信されてきた携帯端末識別情報に対応する記録媒体識別情報と、前記遊技価値使用処理手段によって遊技価値が読出される遊技用記録媒体の記録媒体識別情報とが、一致するか否かを判定する記録媒体識別情報判定手段（たとえば、カードユニット６００、Ｓ６１２）と、
前記記録媒体識別情報判定手段によって一致すると判定された場合、当該一致すると判定された記録媒体識別情報の遊技用記録媒体に対して、前記遊技価値使用処理手段による遊技を可能にするための処理を停止する不正記録媒体使用停止手段（たとえば、カードユニット６００、Ｓ６１２の処理で不正カードであると判定された場合、Ｓ６１８で球貸信号を遊技機に送信しない）とを備えている。
【手続補正５】
【補正対象書類名】明細書
【補正対象項目名】００２０
【補正方法】変更
【補正の内容】
【００２０】
このような構成によれば、サービス提供用サーバによって、携帯端末からの登録要求情報に応じて、特定プログラムが携帯端末に送信され、特定プログラムが実行されることによって携帯端末から送信されてきたチャージ要求情報を受信したことを条件として、金融機関側サーバに対して行なわれた電子マネー情報のチャージに関する対価の決済の要求に基づく決済の終了に応じて、電子マネー情報が携帯端末に送信され、送信された電子マネー情報の額を特定可能な送信額特定情報と、電子マネーが送信された携帯端末を識別するための携帯端末識別情報とが対応付けられて記憶される。
【手続補正６】
【補正対象書類名】明細書
【補正対象項目名】００２７
【補正方法】変更
【補正の内容】
【００２７】
（４）  ユーザの携帯端末（たとえば、携帯電話１００）にチャージされた電子マネー（たとえば、バリュー）を用いて、遊技場（たとえば、遊技場３０）に設置された遊技機（たとえば、パチンコ遊技機７００）での遊技（たとえば、パチンコ遊技）を可能にするための電子マネー遊技使用サービスを提供する電子マネーシステム（たとえば、電子マネーシステム１０）であって、
電子マネーに関するサービスを提供するサービス提供用サーバ（たとえば、電子マネー管理サーバ２００、決済サーバ２８０、リモート発行サーバ４００）に設けられ、前記サービス提供用サーバに対し、ユーザが自己の前記携帯端末を使用して前記電子マネー遊技使用サービスを享受できるようにするための登録を要求する前記携帯端末からの登録要求情報（たとえば、空メール、携帯端末情報）に応じて、前記電子マネー遊技使用サービスを実行するための前記携帯端末側の処理手順を示す特定プログラム（たとえば、電子マネーアプリ１１１）を前記携帯端末に送信するために出力する特定プログラム出力手段（たとえば、利用者登録ＡＰ２１１、Ｓ２１１〜Ｓ２２８）と、
前記サービス提供用サーバに設けられ、前記携帯端末が電子マネー情報のチャージを要求する情報であって、前記特定プログラムが実行されることによって前記携帯端末から送信されてきたチャージ要求情報（たとえば、購入要求情報）を受信したことを条件として、金融機関側サーバ（たとえば、金融機関サーバ５００）に対して行なわれた前記電子マネー情報のチャージに関する対価の決済の要求に基づく該決済の終了に応じて、前記電子マネー情報を前記携帯端末に送信するために出力する電子マネー出力手段（たとえば、請求情報作成ＡＰ２１２、Ｓ２４０〜Ｓ２５０、決済サーバ２８０、ＩＣチップ書込ＡＰ２１３、Ｓ２５１〜Ｓ２５４，Ｓ２５１Ａ，Ｓ２５４Ａ、リモート発行サーバ４００）と、
前記サービス提供用サーバに設けられ、前記電子マネー出力手段によって出力された電子マネー情報の額を特定可能な送信額特定情報と、該電子マネーが送信された携帯端末を識別するための携帯端末識別情報（たとえば、携帯ＩＤ）とを対応付けて記憶する送信電子マネー記憶手段（たとえば、請求情報作成ＡＰ２１２、Ｓ２４９、発行情報ＤＢ２２２）と、
前記遊技場に設置され、前記携帯端末と通信し、該携帯端末に格納されている電子マネー情報を用いて遊技を可能にするための電子マネー遊技使用装置（たとえば、券売機３００、カードユニット６００）に設けられ、遊技を可能にするために使用する電子マネー情報の引落しを要求する引落要求情報（たとえば、引落要求信号）を前記携帯端末に送信するために出力する引落要求情報出力手段（たとえば、チップリーダライタ３９０、制御部３９１、非接触通信部３９３）と、
前記電子マネー遊技使用装置に設けられ、前記携帯端末に格納されている前記電子マネー情報から前記引落要求情報により要求された額が減算された旨を示す前記携帯端末から送信されてきた減算終了情報（たとえば、減算終了信号）に応じて、前記減算された額の電子マネー情報を用いた遊技を可能にするための遊技可能化処理を行なう遊技可能化処理手段（たとえば、券売機３００、Ｓ３５５，Ｓ３６２）と、
前記遊技場において、前記遊技可能化処理手段によって遊技可能化処理に用いられた前記減算された電子マネー情報の額を特定可能な減算額特定情報と、前記減算終了情報を送信してきた携帯端末を識別するための携帯端末識別情報とを対応付けて記憶する減算電子マネー記憶手段（たとえば、店舗サーバ８００、Ｓ８１１，Ｓ８１２）と、
該減算電子マネー記憶手段に記憶された前記減算額特定情報と該減算額特定情報に対応する前記携帯端末識別情報とを含む取引情報を前記遊技場側から前記サービス提供用サーバに所定時間（たとえば、３時間）ごとに送信するために出力する減算電子マネー出力手段（たとえば、店舗サーバ８００、Ｓ８１３，Ｓ８１４）と、
前記サービス提供用サーバに設けられ、前記減算電子マネー出力手段から送信されてきた取引情報と、前記送信電子マネー記憶手段に記憶された情報とに基づいて携帯端末識別情報ごとに電子マネーの残額を管理し、残額を超えた不正取引があったか否かを判定する不正取引判定手段（たとえば、残高管理ＡＰ２１４、Ｓ２６１〜Ｓ２６４，Ｓ２８１）と、
前記サービス提供用サーバに設けられ、前記不正取引判定手段によって前記不正取引があると判定された場合、前記不正取引があった旨を示す不正取引発生情報を当該不正取引が発生した遊技場側に送信するために出力する不正取引発生情報出力手段（たとえば、残高管理ＡＰ２１４、Ｓ２８８，Ｓ２８９）と、
前記遊技場において、前記不正取引発生情報出力手段から前記不正取引発生情報が送信されてきた場合、該遊技場内のすべての前記遊技可能化処理手段による遊技可能化処理を停止する遊技可能化処理停止手段（たとえば、発券機３００、Ｓ３２２の処理で携帯使用禁止であると判定された場合、Ｓ３２６で残額を投入額に加算しない）とを備える。
【手続補正７】
【補正対象書類名】明細書
【補正対象項目名】００２８
【補正方法】変更
【補正の内容】
【００２８】
このような構成によれば、サービス提供用サーバによって、携帯端末からの登録要求情報に応じて、特定プログラムが携帯端末に送信され、特定プログラムが実行されることによって携帯端末から送信されてきたチャージ要求情報を受信したことを条件として、金融機関側サーバに対して行なわれた電子マネー情報のチャージに関する対価の決済の要求に基づく決済の終了に応じて、電子マネー情報が携帯端末に送信され、送信された電子マネー情報の額を特定可能な送信額特定情報と、電子マネーが送信された携帯端末を識別するための携帯端末識別情報とが対応付けられて記憶される。
【手続補正８】
【補正対象書類名】明細書
【補正対象項目名】００３４
【補正方法】変更
【補正の内容】
【００３４】
（５）  ユーザの携帯端末（たとえば、携帯電話１００）にチャージされた電子マネー（たとえば、バリュー）を用いて、遊技場（たとえば、遊技場３０）に設置された遊技機（たとえば、パチンコ遊技機７００）での遊技（たとえば、パチンコ遊技）を可能にするための電子マネー遊技使用サービスを提供する電子マネーシステム（たとえば、電子マネーシステム１０）であって、
電子マネーに関するサービスを提供するサービス提供用サーバ（たとえば、電子マネー管理サーバ２００、決済サーバ２８０、リモート発行サーバ４００）に設けられ、前記サービス提供用サーバに対し、ユーザが自己の前記携帯端末を使用して前記電子マネー遊技使用サービスを享受できるようにするための登録を要求する前記携帯端末からの登録要求情報（たとえば、空メール、携帯端末情報）に応じて、前記電子マネー遊技使用サービスを実行するための前記携帯端末側の処理手順を示す特定プログラム（たとえば、電子マネーアプリ１１１）を前記携帯端末に送信するために出力する特定プログラム出力手段（たとえば、利用者登録ＡＰ２１１、Ｓ２１１〜Ｓ２２８）と、
前記サービス提供用サーバに設けられ、前記携帯端末が電子マネー情報のチャージを要求する情報であって、前記特定プログラムが実行されることによって前記携帯端末から送信されてきたチャージ要求情報（たとえば、購入要求情報）を受信したことを条件として、金融機関側サーバ（たとえば、金融機関サーバ５００）に対して行なわれた前記電子マネー情報のチャージに関する対価の決済の要求に基づく該決済の終了に応じて、前記電子マネー情報を前記携帯端末に送信するために出力する電子マネー出力手段（たとえば、請求情報作成ＡＰ２１２、Ｓ２４０〜Ｓ２５０、決済サーバ２８０、ＩＣチップ書込ＡＰ２１３、Ｓ２５１〜Ｓ２５４，Ｓ２５１Ａ，Ｓ２５４Ａ、リモート発行サーバ４００）と、
前記サービス提供用サーバに設けられ、前記電子マネー出力手段によって出力された電子マネー情報の額を特定可能な送信額特定情報と、該電子マネーが送信された携帯端末を識別するための携帯端末識別情報（たとえば、携帯ＩＤ）とを対応付けて記憶する送信電子マネー記憶手段（たとえば、請求情報作成ＡＰ２１２、Ｓ２４９、発行情報ＤＢ２２２）と、
前記遊技場において、遊技を可能にするために使用する電子マネー情報の引落しを要求する引落要求情報（たとえば、引落要求信号）を前記携帯端末に送信するために出力する引落要求情報出力手段（たとえば、チップリーダライタ３９０、制御部３９１、非接触通信部３９３）と、
前記遊技場において、前記携帯端末に格納されている前記電子マネー情報から前記引落要求情報により要求された額が減算された旨を示す前記携帯端末から送信されてきた減算終了情報（たとえば、減算終了信号）に応じて、前記減算された額の電子マネー情報に対応する額の遊技を可能とする遊技価値を特定可能な情報を記録した遊技用記録媒体（たとえば、プリペイドカード３７１）を発行する記録媒体発行処理を行なう記録媒体発行処理手段（たとえば、券売機３００、Ｓ３５５，Ｓ３６２）と、
前記遊技場において、前記記録媒体発行処理手段によって遊技用記録媒体発行処理に用いられた前記減算された電子マネー情報の額を特定可能な減算額特定情報と、前記減算終了情報を送信してきた携帯端末を識別するための携帯端末識別情報と、前記記録媒体発行処理手段によって発行された遊技用記録媒体を識別するための記録媒体識別情報（たとえば、カードＩＤ）とを対応付けて記憶する減算電子マネー記憶手段（たとえば、店舗サーバ８００、Ｓ８１１，Ｓ８１２）と、
該減算電子マネー記憶手段に記憶された前記減算額特定情報と該減算額特定情報に対応する前記携帯端末識別情報とを含む取引情報を前記遊技場側から前記サービス提供用サーバに所定時間（たとえば、３時間）ごとに送信するために出力する減算電子マネー出力手段（たとえば、店舗サーバ８００、Ｓ８１３，Ｓ８１４）と、
前記遊技機に対応して設けられ、前記遊技用記録媒体に記録された遊技価値を読出し、該遊技価値を用いた遊技を可能にするための処理を行なう遊技価値使用処理手段（たとえば、カードユニット６００，６００Ａ、Ｓ６１１〜Ｓ６１８）と、
前記サービス提供用サーバに設けられ、前記減算電子マネー出力手段から送信されてきた取引情報と、前記送信電子マネー記憶手段に記憶された情報とに基づいて携帯端末識別情報ごとに電子マネーの残額を管理し、残額を超えた不正取引があったか否かを判定する不正取引判定手段（たとえば、残高管理ＡＰ２１４、Ｓ２６１〜Ｓ２６４，Ｓ２８１）と、
前記サービス提供用サーバに設けられ、前記不正取引判定手段によって不正取引があると判定された頻度を測定する不正取引頻度測定手段（たとえば、残高管理ＡＰ２１４、Ｓ２８２，Ｓ２８３，Ｓ２８５，Ｓ２８８）と、
前記サービス提供用サーバに設けられ、前記不正取引頻度測定手段によって測定された頻度に応じて、当該不正取引と判定された取引情報に対応する携帯端末識別情報を当該不正取引が発生した遊技場側に送信するために出力する不正取引識別情報出力手段（たとえば、残高管理ＡＰ２１４、Ｓ２８５，Ｓ２８６）と、
前記サービス提供用サーバに設けられ、前記不正取引頻度測定手段によって測定された頻度に応じて、前記不正取引があった旨を示す不正取引発生情報を当該不正取引が発生した遊技場側に送信するために出力する不正取引発生情報出力手段（たとえば、残高管理ＡＰ２１４、Ｓ２８８，Ｓ２８９）と、
前記遊技場において、前記不正取引識別情報出力手段から送信されてきた携帯端末識別情報を記憶する不正取引識別情報記憶手段（たとえば、店舗サーバ８００、Ｓ８２３〜Ｓ８２６、発券機３００、Ｓ３１０，Ｓ３１３，Ｓ３１４、カードユニット６００，６００Ａ、Ｓ６１０，Ｓ３１３，Ｓ３１４）と、
前記遊技場において、前記減算電子マネー記憶手段に記憶された記録媒体識別情報のうち、前記不正取引識別情報出力手段から送信されてきた携帯端末識別情報に対応する記録媒体識別情報と、前記遊技価値使用処理手段によって遊技価値が読出される遊技用記録媒体の記録媒体識別情報とが、一致するか否かを判定する記録媒体識別情報判定手段（たとえば、カードユニット６００、Ｓ６１２）と、
前記記録媒体識別情報判定手段によって一致すると判定された場合、当該一致すると判定された記録媒体識別情報の遊技用記録媒体に対して、前記遊技価値使用処理手段による遊技を可能にするための処理を停止する不正記録媒体使用停止手段（たとえば、カードユニット６００、Ｓ６１２の処理で不正カードであると判定された場合、Ｓ６１８で球貸信号を遊技機に送信しない）と、
前記引落要求情報出力手段から引落要求情報を送信した携帯端末が、前記不正取引識別情報記憶手段に記憶された携帯端末識別情報が示す不正携帯端末であるか否かを判定する不正携帯端末判定手段（たとえば、発券機３００、Ｓ３２４、）と、
前記不正携帯端末判定手段によって不正携帯端末であると判定された場合、該不正携帯端末に対して、前記記録媒体発行処理手段による前記記録媒体発行処理を停止する不正携帯端末使用停止手段（たとえば、発券機３００、Ｓ３２４の処理で不正端末であると判定された場合、Ｓ３２６で残高を投入額に加算しない）と、
前記遊技場において、前記不正取引発生情報出力手段から前記不正取引発生情報が送信されてきた場合、該遊技場内のすべての前記記録媒体発行処理手段による記録媒体発行処理を停止する記録媒体発行処理停止手段（たとえば、発券機３００、Ｓ３２２の処理で携帯使用禁止であると判定された場合、Ｓ３２６で残額を投入額に加算しない）と、
前記不正取引頻度測定手段によって測定された頻度に応じて、前記不正記録媒体使用停止手段と前記不正携帯端末使用停止手段と前記記録媒体発行処理停止手段とのうちの少なくともいずれか１つを選択して、該選択された手段による停止処理を実行させる選択実行手段（たとえば、残額管理ＡＰ２５０、Ｓ２８３〜Ｓ２８９、店舗サーバ８００、Ｓ８２１〜Ｓ８２６、発券機３００、Ｓ３１０〜Ｓ３１４，Ｓ３２２，Ｓ３２４、カードユニット６００、Ｓ６００〜Ｓ６０２，Ｓ６１２）とを備えている。
【手続補正９】
【補正対象書類名】明細書
【補正対象項目名】００３５
【補正方法】変更
【補正の内容】
【００３５】
このような構成によれば、サービス提供用サーバによって、携帯端末からの登録要求情報に応じて、特定プログラムが携帯端末に送信され、特定プログラムが実行されることによって携帯端末から送信されてきたチャージ要求情報を受信したことを条件として、金融機関側サーバに対して行なわれた電子マネー情報のチャージに関する対価の決済の要求に基づく決済の終了に応じて、電子マネー情報が携帯端末に送信され、送信された電子マネー情報の額を特定可能な送信額特定情報と、電子マネーが送信された携帯端末を識別するための携帯端末識別情報とが対応付けられて記憶される。
【手続補正１０】
【補正対象書類名】明細書
【補正対象項目名】００５３
【補正方法】変更
【補正の内容】
【００５３】
（９）  前記電子マネー遊技使用装置に設けられ、前記電子マネー情報が減算された携帯端末を識別するための携帯端末識別情報を記憶する減算電子マネー記憶手段をさらに備え、
前記未使用電子マネー出力手段は、
前記減算電子マネー記憶手段に記憶された携帯端末識別情報を含み携帯端末に携帯端末識別情報が一致するか否かの照合を要求するための照合要求情報を、携帯端末に送信するために出力する携帯端末識別情報出力手段を含み、
該携帯端末識別情報出力手段によって送信された携帯端末識別情報と、前記携帯端末を識別するための携帯端末識別情報とが一致する旨の携帯端末一致情報が、前記照合要求情報に応じて送信されてきた場合、前記携帯端末に、前記遊技に用いられていない電子マネー情報を送信するために出力する。